(57)【要約】【課題】  観察角度により画像がチェンジする効果を有する印刷物において、特殊な機能性顔料を用いることなく、通常の着色インキを用い、異なる色相を含む複数の異なる色彩によって豊かな色彩を付与することが可能な偽造防止印刷物を提供する。【解決手段】  基材上の少なくとも一部に備えた基材と異なる色彩の印刷画像は、少なくとも一つの有彩色を含む２色以上の異なる色相の色彩による色彩画像と、明暗フリップフロップ性又はカラーフリップフロップ性のいずれか一方の光学特性を有し、かつ、基材と異なる物体色を有し、所定の面積率の範囲で濃淡を現した光輝性画像と、明暗フリップフロップ性又はカラーフリップフロップ性のいずれか一方の光学特性を有する透明又は半透明の潜像要素が一定以上の面積率で形成された潜像画像が積層される。【選択図】  図２
2020114639.tif 000002
【特許請求の範囲】
【請求項１】
基材上の少なくとも一部に、前記基材と異なる色彩の印刷画像を備え、
前記印刷画像は、少なくとも一つの有彩色を含む色相の異なる２色以上の色彩によって構成された色彩画像と、
明暗フリップフロップ性又はカラーフリップフロップ性の少なくともいずれか一方の光学特性を有し、かつ、前記基材と異なる物体色を有し、所定の面積率の範囲で構成されて濃淡を現した光輝性画像と、
明暗フリップフロップ性又はカラーフリップフロップ性の少なくともいずれか一方の光学特性を有する透明又は半透明の潜像要素が所定の面積率で形成された潜像画像が積層されて成り、
前記潜像画像及び前記光輝性画像は、前記色彩画像と色彩共有性を有し、
前記潜像画像は、前記光輝性画像よりも下層に位置し、
ｉ）前記潜像要素の面積率の差異によって形成されるか、又は、
ｉｉ）規則的に所定のピッチで万線状に形成された盛り上がりのある前記潜像要素の配列方向の差異によって形成されて成り、
拡散反射光下で前記印刷画像を観察すると、前記光輝性画像と前記色彩画像が合成して可視化されることで第一のカラー画像が視認され、
正反射光下で前記印刷画像を観察すると、前記光輝性画像が消失し、前記潜像画像と前記色彩画像が合成して可視化されることで第二のカラー画像が視認されることを特徴とする偽造防止印刷物。
【請求項２】
前記色彩画像は、少なくとも彩度Ｃ＊が３以上の一つ以上の有彩色を含むことを特徴とする請求項１記載の偽造防止印刷物。
【請求項３】
前記潜像画像は、１５％以上の面積率で構成されて成ることを特徴とする請求項１又は２記載の偽造防止印刷物。
【発明の詳細な説明】
【技術分野】
【０００１】
本発明は、偽造防止効果を必要とする銀行券、パスポート、有価証券、身分証明書、カード、通行券等のセキュリティ印刷物の分野において、観察できる画像が入射する光の角度に応じて異なる画像に変化する、色彩表現に富んだ偽造防止印刷物に関するものである。
【背景技術】
【０００２】
近年のスキャナ、プリンタ、カラーコピー機等のデジタル機器の進展により、貴重印刷物の精巧な複製物を容易に作製することが可能となっている。そのような複製や偽造を防止する偽造防止技術の一つとして、貴重印刷物の観察角度を変えることで画像が変化するホログラムに代表される光学的なセキュリティ要素を貼付したものが多く存在するようになった。
【０００３】
しかし、ホログラムはインキを用いた印刷によって形成する従来の偽造防止技術とは異なり、複雑な製造工程と特殊な材料を用いて形成されることから、従来の偽造防止用印刷物と比較すると製造に手間が掛かり、かつ、極めて高価である。このことから、金属インキや干渉マイカや酸化フレークマイカ、顔料コートアルミニウムフレーク、光学的変化フレーク等の特殊な光反射性粉体をインキや塗料に配合し、かつ、特殊な材料同士の重ね合わせや複雑な網点構成を用いることによって、ホログラムと同様な画像変化を実現した、一般的な印刷方法で形成可能な偽造防止用印刷物が出現している。
【０００４】
本出願人は、一般的、かつ、比較的安価な材料及び簡単な印刷手段を使用していながら、特定の観察角度において、印刷物中の特定部位における人の目に認識される情報が、観察角度を変化させることによって、全く別の情報に変化する偽造防止用情報担持体に係る発明をすでに出願している（例えば、特許文献１から特許文献５参照）。
【先行技術文献】
【特許文献】
【０００５】
【特許文献１】特許第３３９８７５８号公報
【特許文献２】特許第４６０４２０９号公報
【特許文献３】特許第３７１８７１２号公報
【特許文献４】特許第５１４２１５６号公報
【特許文献５】特許第５２９４１９９号公報
【発明の開示】
【発明が解決しようとする課題】
【０００６】
特許文献１の技術に関しては、第１の印刷画像を構成する光輝性材料と第２の印刷画像を構成する色材料は色相が異なることから、拡散反射光下の観察において第２の印刷画像を隠蔽するために、第１の印刷画像と第２の印刷画像の重ね合わせにおいて、所定の位置関係に精度良く合わせる必要があった。また、第２の印刷画像を構成する色材料は１種類のインキで構成されるため、第２の印刷画像の色彩は単色に限定されるという問題があった。加えて、第２の印刷画像は疎な面積率で構成されるために、正反射光下で出現する第２の印刷画像の視認性が低いという問題があった。
【０００７】
特許文献２に記載の技術は、第２の印刷画像の面積率を高め、画像の視認性を向上させた技術である。しかし、色相変化を伴う画像のチェンジ効果を実現した特許文献１の技術とは異なり、主として光輝性材料の明度の上昇を利用して画像のチェンジ効果を実現する技術であるため、チェンジして出現する画像は単一の色相の濃淡のみで表現された単調なモノトーンの画像に制限されるという問題があった。
【０００８】
特許文献３及び特許文献４に記載の技術は、正反射光下において特定の色相に彩られた色彩を呈して潜像が出現したり、画像がチェンジする技術である。しかし、正反射光下で出現する色彩は、インキ中に含まれた機能性顔料の光学特性に由来するものであり、効果を高めるには、機能性顔料を盛り上がりのある画線表面に配向させる必要があるため、顔料に対して特殊な撥水撥油処理（パーフルオロアルキルリン酸処理）が必要であり、手間が掛り、コストが高くなるとともに、この処理が施された機能性材料は画線から脱落し易いという堅牢性上の問題があった。
【０００９】
特許文献５に記載の技術は、特許文献２の技術と特許文献３の技術の利点を組み合わせた技術であるものの、色彩表現性を高めるためには、特許文献３及び特許文献４に記載の技術と同様に、機能性顔料に対して特殊な撥水撥油処理が必要であるという問題があるとともに、特許文献２に記載の技術と同様に、出現する画像がモノトーンであるという問題があった。
【００１０】
本発明は、前述した課題の解決を目的とするものであり、拡散反射光下と正反射光下で画像がチェンジする効果を有する印刷物であって、拡散反射光下で視認できる画像と正反射光下で視認できる両方の画像に対して、特殊な機能性顔料を用いることなく、通常の着色インキを用い、異なる色相を含む複数の異なる色彩によって豊かな色彩を付与することが可能である。また、第一の画像と第二の画像の重ね合わせにおいて高い刷り合わせ精度を必要とせず、正反射光下で出現する第二の画像の視認性が高いことを特徴とした偽造防止印刷物を提供する。
【課題を解決するための手段】
【００１１】
本発明は、基材上の少なくとも一部に、基材と異なる色彩の印刷画像を備え、印刷画像は、少なくとも一つの有彩色を含む色相の異なる２色以上の色彩によって構成された色彩画像と、明暗フリップフロップ性又はカラーフリップフロップ性の少なくともいずれか一方の光学特性を有し、かつ、基材と異なる物体色を有し、所定の面積率の範囲で構成されて濃淡を現した光輝性画像と、明暗フリップフロップ性又はカラーフリップフロップ性の少なくともいずれか一方の光学特性を有する透明又は半透明の潜像要素が所定の面積率で形成された潜像画像が積層されて成り、潜像画像及び光輝性画像は、色彩画像と色彩共有性を有し、潜像画像は、光輝性画像よりも基材側に位置し、ｉ）潜像要素の面積率の差異によって形成されるか、又は、ｉｉ）規則的に所定のピッチで万線状に形成された盛り上がりのある潜像要素の配列方向の差異によって形成されて成り、拡散反射光下で印刷画像を観察すると、光輝性画像と色彩画像が合成して可視化されることで第一のカラー画像が視認され、正反射光下で印刷画像を観察すると、光輝性画像が消失し、潜像画像と色彩画像が合成して可視化されることで第二のカラー画像が視認されることを特徴とする偽造防止印刷物である。
【００１２】
また、本発明の色彩画像は、少なくとも彩度Ｃ＊が３以上の一つ以上の有彩色を含むことを特徴とする偽造防止印刷物である。
【００１３】
さらに、本発明は、潜像画像が１５％以上の面積率で構成されて成ることを特徴とする偽造防止印刷物である。
【発明の効果】
【００１４】
本発明の偽造防止印刷物は、特許文献１から特許文献５までに記載の技術と異なり、正反射光下で出現する第二のカラー画像を２種類以上の色相の異なる色彩で構成できることに加え、同様に拡散反射光下で視認できる第一のカラー画像も２種類以上の色相の異なる色彩で構成できることから、本発明の偽造防止技術に色数に技術的な制約はない。また、カラーフリップフロップ性又は明暗フリップフロップ性を有する光輝性画像と潜像画像の重ね合わせから成るため、正反射光下で出現する第二のカラー画像の視認性は、特許文献１から特許文献５までの技術と比較して高い。
【００１５】
本発明の偽造防止印刷物は、特許文献１の技術と異なり、光輝性画像と潜像画像、色彩画像の重ね合わせにおいて、所定の位置関係に精度良く合わせる必要がなく、製造難度が低い。
【００１６】
また、特許文献３から特許文献５までの技術と異なり、正反射光下で出現する第二のカラー画像の色彩は、通常の着色インキを用いるため、色彩表現が特殊な機能性顔料に依存せず、また、同様に特殊な撥水撥油処理も必要としない。
【００１７】
以上の手法で形成した偽造防止印刷物は、特殊な機能性材料を必要としないことからコストパフォーマンスに優れ、また最新のデジタル機器を用いたとしてもスイッチ効果を実現することは不可能であることから、偽造防止効果に優れる。
【図面の簡単な説明】
【００１８】
【図１】本発明における偽造防止印刷物を示す。
【図２】本発明における偽造防止印刷物の構成の概要を示す。
【図３】本発明における潜像画像の構成の一例を示す。
【図４】本発明における色彩画像を示す。
【図５】本発明における色彩共有性を示す。
【図６】本発明における偽造防止印刷物の層構成を示す。
【図７】本発明における偽造防止印刷物の効果を示す。
【発明を実施するための形態】
【００１９】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２０】
なお、本明細書中でいう「明度」とは、色の明るさを指し、高い場合には明るく、低い場合には暗い。また、「彩度」とは、色の鮮やかさの度合いを指す。加えて、本発明における「色彩」とは、色相、彩度及び明度の概念を含んで色を表したものであり、また、「色相」とは、赤、青、黄といった色の様相のことであり、具体的には、可視光領域（４００〜７００ｎｍ）の特定の波長の強弱の分布を示すものである。本明細書中では、特に、白や黒も一つの色相とする。本発明における「色相が同じ」とは、二つの色において赤、青、黄といった色の様相が一致し、可視光領域の波長の強弱の分布が二つの色において相関を有することである。また、本明細書中においては、無彩色も一つの色相であると定義し、白、灰色、黒は同じ色相であると考える。
【００２１】
まず、本発明について図面を用いて説明する。図１に、本発明における偽造防止印刷物（１）を示す。偽造防止印刷物（１）は、基材（２）の上に、基材（２）と異なる色彩の印刷画像（３）を有する。印刷画像（３）は、拡散反射光下では、第一のカラー画像を表して成る。印刷画像（３）の大きさや形状に制約はない。
【００２２】
本発明の偽造防止印刷物（１）に用いる基材（２）は、紙、プラスティック、金属等のインキや塗料、色材等を受理できる特性を有することを条件として、材質は問わない。効果をより高めるためには、印刷する基材（２）表面は、平滑であることが望ましい。
【００２３】
印刷画像（３）は、図２に示す光輝性画像（４）、潜像画像（５）及び色彩画像（６）の三つの異なる画像の重ね合わせによって構成される。具体的な積層関係については後述する。
【００２４】
光輝性画像（４）は、明暗フリップフロップ性又はカラーフリップフロップ性の少なくともいずれか一方を有する。拡散反射光下において、この光輝性画像（４）の表す単一色の濃淡と、色彩画像（６）の色彩とが合成されることで、第一のカラー画像を表す。潜像画像（５）は、物体色を有さないため、透明又は半透明であり、拡散反射光下では不可視であるが、正反射光下において可視化される。正反射光下において、この潜像画像（５）の表す単一色の濃淡と色彩画像（６）の色彩とが合成されることで、第二のカラー画像を表す。色彩画像（６）は、色相の異なる二つ以上の色彩によって構成されて成り、拡散反射光下において印刷画像（３）の中に現れる第一のカラー画像の色彩を表し、正反射光下において印刷画像（３）の中に現れる第二のカラー画像の色彩を表す。
【００２５】
以上のように、本発明において、拡散反射光下で印刷画像（３）中に現れる画像を第一のカラー画像とし、光輝性画像（４）の濃淡と、色彩画像（６）の色彩とが合成された構成を有する。また、正反射光下で印刷画像（３）中に現れる画像を第二のカラー画像とし、潜像画像（５）の濃淡と、色彩画像（６）の色彩とが合成された構成を有する。
【００２６】
まず、光輝性画像（４）について具体的に説明する。光輝性画像（４）は、物体色を有し、明暗フリップフロップ性又はカラーフリップフロップ性の少なくともどちらか一方の光学特性を備え、図２に示すように一定の面積率の範囲で構成され、拡散反射光下では第一のカラー画像の濃淡を表す。一方の正反射光下では、光を反射することで濃淡が消失して目視上消失する働きを成す。本実施の形態における第一のカラー画像は、図１に示すように、いくつもの花を咲かせた二本の桜の枝を表す画像であり、左上の桜の枝の花びらをピンク色、右下の桜の枝の花びらを白色、また、二本の桜の枝の葉を緑色としている。その中で光輝性画像（４）は、第一のカラー画像の中の濃淡のみを表す。いい換えれば、光輝性画像（４）は、第一のカラー画像をモノクロ化した画像である。
【００２７】
光輝性画像（４）は、前述のとおり、明暗フリップフロップ性又はカラーフリップフロップ性の少なくともいずれか一方の光学特性を備える必要がある。明暗フリップフロップ性とは、光を反射した場合に、物体（画像）の明度が上昇する特性であり、一方のカラーフリップフロップ性とは、物質に光が入射した場合に、物質の色相が変わる性質を指す。
【００２８】
光輝性画像（４）に明暗フリップフロップ性又はカラーフリップフロップ性を付与する方法としては、明暗フリップフロップ性又はカラーフリップフロップ性を有するインキやトナー、色材、塗料等で光輝性画像（４）を形成するのが最も容易である。明暗フリップフロップ性を備えた印刷で用いるインキとしては、金色や銀色等のメタリック系の金属インキや、グロスタイプの着色インキがある。一般的に艶があると感じられる物質は、明暗フリップフロップ性を備える。例えば、銀インキは、光を強く反射しない拡散反射光下では暗い灰色にしか見えないが、光を強く反射する正反射光下では、より淡い灰色か、又は白色に見える。このように、明暗フリップフロップ性を有するインキは、正反射光下で明度が変化する。正反射光下で明度が変化するのであれば、インキ中の顔料が光を強く反射する特性を有してもよいし、インキの樹脂自体が光を強く反射する特性を有してもよい。
【００２９】
一方のカラーフリップフロップ性を備えた印刷で用いるインキとしては、パールインキ、液晶インキ、ＯＶＩ（Ｏｐｔｉｃａｌ  Ｖａｒｉａｂｌｅ  Ｉｎｋ）、ＣＳＩ（Ｃｏｌｏｒ  Ｓｈｉｆｔｉｎｇ  Ｉｎｋ）等が存在する。多くのインキは物体色を有するが、虹彩色パールインキは、無色透明である。例えば、赤色の虹彩色パールインキは、拡散反射光下では無色透明であるが、正反射光下では赤色の干渉色を発する。このように、カラーフリップフロップ性を備えたインキは、正反射光下で色相が変化する。
【００３０】
濃淡を有する光輝性画像（４）を正反射光下で消失させるためには、光輝性画像（４）を一定の面積率の範囲で形成する必要がある。この面積率の範囲は、光輝性画像（４）の形成方法や、形成した材料等でそれぞれ異なる。例えば、一般的な印刷方法によって、印刷インキを用いて光輝性画像（４）を構成した場合、最大面積率と最小面積率の差を５０％以下に制限して光輝性画像（４）を構成する必要がある。これによって、光輝性画像（４）が正反射した場合に、光輝性画像（４）が強く光を反射することで画像の明度が上昇し、画像中の濃淡が肉眼で捉えられなくなり、あたかも光輝性画像（４）が消失したかのような効果を得ることができる。最大面積率と最小面積率の差が小さすぎると、拡散反射光下で光輝性画像（４）の濃淡を捉え難いため、最大面積率と最小面積率の差を少なくとも１０％以上とする必要がある。一方、最大面積率と最小面積率の差が大きすぎると、正反射光下で光輝性画像（４）の濃淡が消失しきらなくなるため、５０％以下に留める必要がある。以上のように、一般的な印刷インキを用いて光輝性画像（４）を構成する場合、最大面積率と最小面積率の差を１０％以上５０％以下とする必要がある。
【００３１】
一般に、画像の面積率は、高いほうが光を強く反射する効果は高まるため、光輝性画像（４）はハイライトから中間調で構成するより、中間調からシャドーで構成するほうが正反射光下における光輝性画像（４）の濃淡の消失効果は高まる。光輝性画像（４）の面積率が高すぎると、光輝性画像（４）の濃淡によって色彩画像（６）の色彩が隠蔽され、本発明の特徴の一つである画像の彩度が低くなってしまう。また、光を強く反射するインキや、フレキソ印刷、グラビア印刷、スクリーン印刷のような光沢が得やすい印刷方式の場合、面積率１００％から９０％を超える範囲の領域の反射光は、それ以下の網点面積率の領域の反射光よりも著しく強くなる傾向があり、明度が上がりすぎてしまい、逆に白く目立ってしまう場合がある。このため、光輝性画像（４）の最大面積率を９０％以下に抑えることが望ましい。
【００３２】
なお、光輝性画像（４）が満たすべき色彩の構成条件の一つとして、色彩画像（６）との「色彩共有性」があるが、これについては色彩画像（６）の説明の中で具体的に記載する。
【００３３】
続いて、潜像画像（５）について具体的に説明する。潜像画像（５）は、透明又は半透明であって、第二のカラー画像の濃淡を画線方向の違いや面積率の違いによって表す。本実施の形態における第二のカラー画像は、図７（ｂ）に示すように、二つの桜の花びらを表した画像あり、左上の桜の花びらをピンク色、右下の桜の花びらを白色、また、二つの花の中央の花弁を黄色、葉を緑色としている。その中で潜像画像（５）は、第二のカラー画像の中の濃淡のみを透明な材料の画線方向の違いや面積率の違いによって表す。潜像画像（５）は、第二のカラー画像をモノクロ化した画像である。
【００３４】
潜像画像（５）は、光輝性画像（４）と同様に、明暗フリップフロップ性又はカラーフリップフロップ性の少なくともいずれか一方の光学特性を備える必要がある。また、光輝性画像（４）とは異なり、透明又は半透明である必要がある。なお、本明細書における半透明とは、下地を完全に隠蔽しない程度に、光透過性を有する構成を指すものとする。
【００３５】
潜像画像（５）は、様々な形態で構成可能である。図３（ａ）は、潜像画像（５）を盛り上がりのある画線（以下、隆起画線とする）の集合で表し、画線角度の違いによって桜の花びらを表した構成である。盛り上がりを有した隆起画線の画線角度が異なることで、入射する光の方向によって強く光を反射する隆起画線と、弱く光を反射する隆起画線に分かれ、結果として潜像画像（５）が光の強弱によって可視化される。この画線構成の基本的な構成と可視化の原理は、特許第３７１８７１２号公報に記載のとおりである。また、特許第４３９５５８６号のように、隆起画線の画線角度を微妙に変えて微妙な濃淡や光の動画的な効果を加えてもよい。
【００３６】
また、図３（ｂ）は、潜像画像（５）を面積率の差異によって表した構成である。花びらの面積率は１００％であり、周囲は５０％である。このように、面積率を異ならせることによって反射光に強弱を生じさせ、潜像画像（５）を可視化する方法でもよい。面積率の違いで潜像画像（５）を形成する場合には、隆起画線のような盛り上がり高さは必要なく、フラットな画線で形成すればよい。なお、潜像画像（５）全体を一定の面積率で形成し、潜像画像の輪郭部をヌキによって表現してもよい。具体的には、潜像画像（５）全体を１００％のベタとして、花びらと葉と背景との境目を０％の輪郭線で現す。また、図３（ｃ）のように、図３（ａ）で示した画線角度の違いと、図３（ｂ）で示した面積率の違いを同時に組み合わせて潜像画像（５）を表してもよい。この形態において、画線は、フラットでも、盛り上がりを有する隆起画線でも、いずれでもよい。
【００３７】
潜像画像（５）を構成するにあたって重要なことは、全く画像がないエリアを設けないことである。すなわち、チェンジ効果に寄与しないアクセサリーのような領域を除いて、潜像画像（５）の面積率がゼロの領域が存在してはならない。潜像画像（５）の上側の層には、必ず光輝性画像（４）が重なる。潜像画像（５）は、明暗フリップフロップ性又はカラーフリップフロップ性を備えるため、基本的には樹脂リッチ又は膜厚リッチである。そのため、潜像画像（５）が形成された領域は、基材（２）が露出している領域と比べると、ほとんどの場合、インキの転移性に優れる。仮に、潜像画像（５）の中に面積率がゼロの領域が存在した場合、上に重なる光輝性画像（４）の転移性がゼロ以上の領域と比較して局所的に極端に少なくなるため、拡散反射光下で下層にある潜像画像（５）の構成が光輝性画像（４）の濃淡に反映されて、可視化されてしまう場合がある。このようなインキ転移性の違いによる潜像画像（５）の可視化の問題を確実に防ぐためには、潜像画像（５）の面積率は少なくとも１５％以上で形成することが望ましい。
【００３８】
潜像画像（５）は、明暗フリップフロップ性又はカラーフリップフロップ性を備えるため、その上に重なった光輝性画像（４）から生じる反射光が嵩上げされて、基材（２）上に直接重ねた場合と比較して相対的に反射光量が増える。このように、潜像画像（５）は、光輝性画像（４）の反射光量を増やし、正反射光下の消失効果を高める働きを成す。この潜像画像（５）による反射光の嵩上げ効果は、本発明のチェンジ効果を高める上で欠かすことができない機能である。以上が、潜像画像（５）の説明である。
【００３９】
最後に、色彩画像（６）について説明する。図４に示す色彩画像（６）は、少なくとも一つの有彩色を含む、色相の異なる二つ以上の色彩によって構成される。このため、色彩画像（６）における最小の色数となる２色構成の場合、１色は、白、灰、黒等の無彩色であってもよいが、もう１色は、必ず有彩色を用いる必要がある。そのため、色彩画像（６）は、最低でも「無彩色１色＋有彩色１色」の組合せである必要がある。無彩色同士の組合せや有彩色１色のみで色彩画像（６）を構成した場合には、従来技術のモノトーン表現と変わりなく、本発明の特徴が活かせないためである。色彩画像（６）の最低限の色構成の例としては、「白＋赤」や「黒＋黄」等の「無彩色１色＋有彩色１色」の組合せとなるが、当然、「赤＋青」や「黄＋緑」のように有彩色２色でもよく、いうまでもなく有彩色、無彩色を合わせて３色以上としても何ら問題なく、逆に、本発明の特徴を活かす上でより望ましい。
【００４０】
色彩画像（６）は、拡散反射光下において印刷画像（３）の中に現れる第一のカラー画像の色彩を表すとともに、正反射光下において印刷画像（３）の中に現れる第二のカラー画像の色彩も表す。このため、第一のカラー画像の濃淡を表す光輝性画像（４）と、第二のカラー画像の濃淡を表す潜像画像（５）の両方と矛盾なく合成できる色彩である必要がある。この光輝性画像（４）と潜像画像（５）の異なる二つの画像の濃淡と、色彩画像（６）の色彩が矛盾なく適合する特性を、「光輝性画像（４）及び潜像画像（５）は、それぞれが色彩画像（６）と色彩共有性を有する」と定義する。
【００４１】
本実施の形態における色彩共有性の具体例について説明する。図５（ａ）は、光輝性画像（４）と色彩画像（６）を重ね合わせた合成画像（７（４＋６））と、図５（ｂ）は、潜像画像（５）と色彩画像（６）を重ね合わせた合成画像（７（５＋６））である。本実施の形態の色彩画像（６）は、もともと第二のカラー画像の色彩をベースとして、拡散反射光下で第一のカラー画像の色彩に当てはめた際、色彩に矛盾が生じないように調整した画像である。「光輝性画像（４）及び潜像画像（５）が、それぞれ色彩画像（６）と色彩共有性を有する」ことは、いい換えれば、第一のカラー画像と第二のカラー画像に色彩共有性があることと同義であるため、まず、第一のカラー画像と第二のカラー画像をデザインする段階で、色彩とその色彩配置に共有性がある構成とする必要がある。
【００４２】
実際に、光輝性画像（４）及び潜像画像（５）が、色彩画像（６）との色彩共有性があるか否かは、図５（ａ）及び図５（ｂ）に示すように、画像処理ソフト上や製版フィルム上等で光輝性画像（４）と色彩画像（６）を合成した合成画像（７）を視認して合成画像（７）の濃淡と色彩に矛盾がないかを確認し、また、同じく潜像画像（５）と色彩画像（６）を合成した合成画像（７）を視認して、合成画像（７）の濃淡と色彩に矛盾がないかを確認する必要がある。
【００４３】
第一のカラー画像と第二のカラー画像を自由に設計した場合、そもそも異なる画像である二つのカラー画像の色彩配置を完全に一致させることは不可能である。そこで、まず、光輝性画像（４）及び潜像画像（５）と、色彩画像（６）が色彩共有性を有する関係を成り立たせるためには、第一のカラー画像と第二のカラー画像自体を色彩配置の似た画像としてデザインする必要がある。まず始めに、第一のカラー画像と第二のカラー画像をデザインする段階で、色彩配置をある程度同じにすることを考慮しなければ、最終的な色彩共有性を担保することは難しい。
【００４４】
第一のカラー画像と第二のカラー画像をデザインするに当たって、特に緑色の中に配された赤色や、青色の中に配された黄色等の観察者の目を引く部分、すなわち、色差の大きな部分の色彩配置に共有性を持たせることを重視してデザインすることが望ましい。色差の大きな部分の色彩と濃淡のズレは、観察者に最も違和感を抱かせる。逆にいえば、色差の大きな部分の色彩と濃淡が一致していれば、観察者は画像に対して違和感を抱かない。以上のように、まず、可能な限り、色差の大きな部分の濃淡と色彩が一致するように第一のカラー画像と第二のカラー画像をデザインする。
【００４５】
第一のカラー画像と第二のカラー画像のデザインを工夫した上で、それ以上の色彩共有性の余地がなくなった場合、又は顧客が第一のカラー画像と第二のカラー画像をデザインし、設計側でデザインの改善の余地がない場合等、これ以上のデザイン上での改善が望めず、未だ濃淡と色彩に大きな矛盾が生じる場面では、色彩画像（６）の矛盾がある領域の色彩を調整するか、ぼかしやグラデーション等の画像処理を施す等の工夫を施す必要がある。以下に、色彩共有性を高めるいくつかの手段を記載する。
【００４６】
色彩共有性を高める、すなわち、濃淡と色彩の矛盾を無くす最も確実で容易な方法は、矛盾のある領域の色彩画像（６）の色彩を無彩色に近づける方法である。すなわち、色彩画像（６）の矛盾のある部分の色彩の彩度を下げればよい。当然のことながら、色彩画像（６）が白色や灰色、黒色等の無彩色のみで構成される場合、光輝性画像（４）と潜像画像（５）の濃淡に対する色彩画像（６）の色彩との矛盾は存在しない。このため、色彩画像（６）の彩度を落とせば、第一のカラー画像と第二のカラー画像がどんな画像の組合せであったとしても、濃度と色彩の矛盾は小さくなり、色彩共有性は必ず相対的に高まる方向へと改善される。ただし、色彩画像（６）が無彩色に近づけば近づくほど、本発明のカラー化の効果は損なわれ、本発明の効果が低下することから、彩度を下げる割合は、矛盾が目立つ領域に限定して、可能な限り最小限の幅に留めることが望ましい。彩度Ｃ＊が３以上あれば、比較的高い面積率で光輝性画像（４）が重ねられたとしても、有彩色と認識できるため、色彩画像（６）の望ましい条件の一つとして、彩度Ｃ*が３以上の少なくとも一つの色彩を備えることとする。彩度Ｃ＊は、ＣＩＥ  Ｌ＊ａ＊ｂ＊の色空間での数値とする。
【００４７】
また、色彩画像（６）の色彩を調整することの他に、色彩画像（６）を部分的にぼかすことも、濃淡と色彩の矛盾を解消する上で有効である。ぼかし処理は、一般的な画像処理ソフトの効果の一つとして搭載された機能を用いればよい。ぼかし処理を施すと、色彩の境目がぼやけて周囲の色彩と区別して認識され難くなるため、色彩構成の冗長性を高めることができる。色彩画像（６）に対して、光輝性画像（４）と潜像画像（５）の二つの異なる画像に対する色彩共有性を付与するためには、望ましい画像処理である。また、色彩を緩やかに変化させるグラデーション処理等も同様に有効である。
【００４８】
本実施の形態の例では、第二のカラー画像の色彩をベースとして、第一のカラー画像の色彩に適用できるように色彩を調整して色彩画像（６）としたが、この方法に限定されるものではなく、第一のカラー画像の色彩をベースとして、第二のカラー画像の色彩に適用できるように色彩を調整して色彩画像（６）としてもよいし、あらかじめ第一のカラー画像の色彩と第二のカラー画像の色彩を平均化して色彩画像（６）にしてもよい。いずれにしても、最終的に色彩画像（６）の色彩が、光輝性画像（４）と潜像画像（５）のそれぞれと矛盾なく適応する構成を用いればよい。
【００４９】
本実施の形態においては、第二のカラー画像の色彩をベースに、光輝性画像（４）が重なった場合に第二のカラー画像の存在を察知できないように、色彩画像（６）にぼかし処理を施した。ぼかし処理には、画像処理ソフトのぼかし機能を用いた。このような手順を踏み、第一のカラー画像と第二のカラー画像のそれぞれの色彩に矛盾が生じない構成とする。
【００５０】
なお、第一のカラー画像と第二のカラー画像に共通し、画像がチェンジしない緑色の葉っぱについては、ぼかしを施さなかった。この緑色の葉っぱは、印刷画像（３）の中に含まれるものの、拡散反射光下でも正反射光下でも変化せず、チェンジ効果が生じない図柄である。このように、印刷画像（３）に含まれるものの、チェンジ効果が生じない図柄は、本発明の偽造防止印刷物の本質の構成から外れる単なる付加物、いわゆるアクセサリーであり、様々な必須条件群から外れる条件で設計して問題ない。以上が、色彩画像（６）の説明である。
【００５１】
続いて、本発明の偽造防止印刷物（１）の層構造について、図６を用いて説明する。本発明の代表的な層構造について、図６（ａ）、図６（ｂ）及び図６（ｃ）に示す。図６（ａ）に示すのは、色彩画像（６）の上に潜像画像（５）が重なり、その上に光輝性画像（４）が重なる構成であり、図６（ｂ）に示すのは、潜像画像（５）の上に色彩画像（６）が重なり、その上に光輝性画像（４）が重なる構成である。図６（ｃ）に示すのは、潜像画像（５）の上に光輝性画像（４）が重なり、その上に色彩画像（６）が重なる形態である。これらの層構造において必須となるのは、潜像画像（５）よりも上側に光輝性画像（４）が重なることであり、光輝性画像（４）の反射光量が潜像画像（５）によって嵩上げされる効果が働き、正反射光下において光輝性画像（４）の消失効果が高まるためである。
【００５２】
以上の構成で形成した、本発明の偽造防止印刷物（１）の効果について、図７を用いて説明する。光源（８）と偽造防止印刷物（１）と観察者（９）を、図７（ａ）に示すような位置関係とし、偽造防止印刷物（１）を拡散反射光が支配的な観察角度（印刷物に入射する光の入射角度と、観察者（９）と印刷物とを結ぶ反射角度が大きく異なる角度）で観察した場合には、印刷画像（３）の中に光輝性画像（４）の濃淡と色彩画像（６）の色彩が合成された第一のカラー画像が視認される。一方、潜像画像（５）が表す第二のカラー画像の濃淡は、光輝性画像（４）の濃淡によって隠蔽されて観察者には認識できない。
【００５３】
また、偽造防止印刷物（１）を、図７（ｂ）に示すような正反射光下が支配的な角度（印刷物に入射する光の角度と、観察者（９）と印刷物とを結ぶ反射角度が近い値である角度）の中で観察した場合には、第一のカラー画像の濃淡が消失し、潜像画像（５）が表す濃淡(反射光の強弱)と色彩画像（６）の色彩の合成画像（７）である、第二のカラー画像が視認される。以上のように、拡散反射光下と正反射光下で印刷画像（３）中に視認できる画像が第一のカラー画像から第二のカラー画像へとチェンジする。以上が、本発明の効果の説明である。
【００５４】
本発明の二つの画像がチェンジする基本的な原理は、以下のとおりである。図７（ａ）に示す拡散反射光が支配的な観察角度において、光輝性画像（４）と色彩画像（６）は、それぞれ物体色を持つ画像であり、潜像画像（５）は、透明又は半透明の画像であるから、観察者（９）には、光輝性画像（４）と色彩画像（６）のみが合成され、同時に視認される。このため、拡散反射光が支配的な観察角度において、観察者（９）には光輝性画像（４）と色彩画像（６）が合成された画像である、第一のカラー画像が視認される。一方の正反射光下においては、光輝性画像（４）が光を反射することで光輝性画像（４）の明度が上昇し、光輝性画像（４）の濃淡が圧縮され、結果として、観察者（９）は光輝性画像（４）を視認できなくなる。一方の潜像画像（５）は、正反射光下においてその光学特性から反射光の強弱が生じ、光の強弱によって表された潜像画像（５）の濃淡情報が浮かび上がる。また、色彩画像（６）は、通常の着色インキで構成されているため、正反射光下においても色彩の大きな変化は生じない。このため、正反射光下において、第一のカラー画像が消失し、潜像画像（６）の濃淡と色彩画像（６）の色彩と合成された第二のカラー画像が視認される。以上が、本発明の効果発現の原理の説明である。
【００５５】
本発明の偽造防止印刷物（１）を形成する場合、生産性の高いオフセット印刷で形成することができる。この場合、光輝性画像（４）に明暗フリップフロップ性を付与することができる。その他、凸版印刷、グラビア印刷、フレキソ印刷、スクリーン印刷、凹版印刷等でも形成可能である。グラビア印刷、フレキソ印刷、スクリーン印刷、凹版印刷等のインキ転移量の多い印刷方式で光輝性画像（４）を形成する場合、顔料粒子系の大きな特殊な機能性顔料を使用することができるため、この場合には、カラーフリップフロップ性を付与することも可能である。また、特にスクリーン印刷の場合には、インキの転移量が多く、使用するインキの樹脂自体も高い光沢を有するため、赤色や青色等の一般的な着色顔料を微量添加することで光を強く反射する着色インキとすることができる。潜像画像（５）及び色彩画像（６）も、生産性の高いオフセット印刷や凸版印刷等で形成可能であり、製造者のシーズに応じてフレキソ印刷、グラビア印刷、スクリーン印刷、凹版印刷等を用いてもよい。また、インクジェットやレーザー等のプリンタで形成することもできる。プリンタで形成する場合には、一枚一枚付与された潜像が異なる可変印刷が可能であり、住民票やパスポート等のような個人情報付与に最適である。
【００５６】
以下、前述の発明を実施するための形態にしたがって、具体的に作製した偽造防止印刷物（１）の実施例について詳細に説明するが、本発明は、この実施例に限定されるものではない。
【実施例】
【００５７】
本発明の実施例について、実施の形態と同様に図１から図６を用いて説明をする。まず、基材（２）として、汎用性の高いファンシーペーパー（グラディオスＣＣ：日本製紙製）を用いた。次に、レーザープリンター（ＩＰＳＩＯ  ＳＰ  Ｃ８２０：ＲＩＣＯＨ製）で色彩画像（６）を印刷した。色彩画像（６）は、黄色の花弁を備えたピンク色と白色の桜の花びらが青色の背景の中に浮かぶ図柄（緑色の葉はアクセサリーであり、必須の構成ではないため除外する）であり、図柄中で最も彩度が高いのは背景の青色であり、彩度Ｃ＊は１１．２であった。その上に、図２に示す二つの桜の花びらを表した潜像画像（５）を透明なスクリーンインキ（ＵＶ  ＦＩL−３８３クリアー  帝国インキ製）でスクリーン印刷し、さらにその上に桜の枝を表した光輝性画像（４）を、銀インキ（ダイキュア  Ｒ  シルバー：ＤＩＣ製）を用いてオフセット印刷で印刷した。光輝性画像（５）の最大面積率は８５％、最小面積率４０％とした。層構造は、図６（ａ）に示すとおりである。
【００５８】
図７に本発明の偽造防止印刷物（１）の効果を記す。図７（ａ）は、観察者（９）が拡散反射光下で本偽造防止印刷物（１）を観察した場合に観察される画像であり、印刷画像（３）の中には、ピンクと白色のカラフルな桜の枝が視認できた。一方、図７（ｂ）に示すように、観察者（９）が正反射光下で偽造防止印刷物（１）を観察した場合、印刷画像（３）の中には、ピンクと白色の桜の花びらの中に、黄色の花弁を有したカラフルな桜の花びらの画像が視認できた。以上のように、拡散反射光下と正反射光下において、二つの異なるカラー画像がチェンジする効果が確認できた。
【符号の説明】
【００５９】
１  偽造防止印刷物
２  基材
３  印刷画像
４  光輝性画像
５  潜像画像
６  色彩画像
７  合成画像
８  光源
９  観察者
【図１】
2020114639.tif 000003
【図２】
2020114639.tif 000004
【図３】
2020114639.tif 000005
【図４】
2020114639.tif 000006
【図５】
2020114639.tif 000007
【図６】
2020114639.tif 000008
【図７】
2020114639.tif 000009